(57)【要約】      （修正有）【課題】同一の周波数を有する複数の局部発振信号、または、少なくとも２つの信号が互いに異なる周波数を有する複数の局部発振信号を用いる衛星放送を同時に受信する。【解決手段】複数のアンテナ１０７、１１７から受信した複数の受信信号を増幅した複数の高周波信号をそれぞれ出力する複数の増幅部１０１、１１１と、互いに同一の周波数を有する局部発振信号、または、互いに異なる周波数を有する局部発振信号をそれぞれ発信する複数の局部発信器１０５、１１５と、複数の増幅部１０１、１１１から出力される複数の高周波信号のいずれかを、複数の局部発信器１０５、１１５のいずれかから出力される局部発振信号により変換した、複数の中間周波数信号をそれぞれ出力する複数の周波数変換器１０２、１１２と、が同一の半導体基板上に形成されている。【選択図】図１
2013258658.tif 000002
【特許請求の範囲】
【請求項１】
互いに並列する複数のアンテナのそれぞれから受信した同一の周波数を有する複数の受信信号、または、少なくとも２つの信号が互いに異なる周波数を有する複数の受信信号、をそれぞれ増幅した複数の高周波信号、をそれぞれ出力する複数の増幅部と、
互いに同一の周波数を有する複数の局部発振信号、または、少なくとも２つの信号が互いに異なる周波数を有する複数の局部発振信号をそれぞれ発信する複数の局部発信器と、
上記複数の増幅部のそれぞれから出力される上記複数の高周波信号のいずれかを、上記複数の局部発信器のいずれかから出力される局部発振信号により変換した、複数の中間周波数信号をそれぞれ出力する複数の周波数変換器と、が同一の半導体基板上に形成されていることを特徴とする半導体集積回路。
【請求項２】
上記複数の局部発振器のそれぞれを制御する複数のＰＬＬ回路が上記同一の基板上に形成されており、
上記複数のＰＬＬ回路が、互いに単一の基準発振器の発振周波数を参照するように構成されていることを特徴とする請求項１に記載の半導体集積回路。
【請求項３】
上記複数のＰＬＬ回路、および、上記複数の局部発振器は、電源回路から電源を供給されており、
上記複数のＰＬＬ回路のいずれか少なくとも１つと、上記複数の局部発振器のいずれか少なくとも１つと、が動作している間、
上記複数のＰＬＬ回路のうちの残りのＰＬＬ回路のいずれか少なくとも１つと、上記複数の局部発振器のうちの残りの局部発振器のいずれか少なくとも１つと、が上記電源回路からの電源の供給を遮断されることにより未動作状態となるように構成されていることを特徴とする請求項２に記載の半導体集積回路。
【請求項４】
上記複数の周波数変換器の出力側に接続される複数の出力増幅回路を備えており、
上記電源回路からの電源の供給を遮断されることにより上記複数のＰＬＬ回路のいずれか少なくとも１つ、および、上記複数の局部発振器のいずれか少なくとも１つが未動作状態になったときに、上記複数の周波数変換器のいずれか少なくとも１つ、および、上記複数の出力増幅回路のいずれか少なくとも１つが、上記電源回路からの電源の供給を遮断されることにより未動作状態となるように構成されていることを特徴とする請求項３に記載の半導体集積回路。
【請求項５】
上記複数の増幅部のそれぞれの出力端子に接続された複数の入力端子と、
上記複数の周波数変換器のそれぞれの入力端子に接続された複数の出力端子と、を備え、
上記複数の入力端子から入力される上記複数の高周波信号のそれぞれを、上記複数の出力端子のいずれかに振り分けるスイッチマトリクス回路を備えていることを特徴とする請求項１から４までのいずれか１項に記載の半導体集積回路。
【請求項６】
上記複数の増幅部のそれぞれが、入力整合回路を有する低雑音増幅器を含んでいることを特徴とする請求項１から５までのいずれか１項に記載の半導体集積回路。
【請求項７】
上記複数の高周波信号のいずれかが、上記スイッチマトリクス回路の上記複数の入力端子のうちの少なくとも１つの入力端子から入力されたときに、
上記複数の増幅部のうち、上記スイッチマトリクス回路の残りの入力端子に接続されているいずれか少なくとも１つの増幅部が、電源回路からの電源の供給を遮断されることにより未動作状態となるように構成されていることを特徴とする請求項５に記載の半導体集積回路。
【請求項８】
上記複数の増幅部のそれぞれに電源を供給する電源回路が、上記同一の半導体基板上に形成されていることを特徴とする請求項６に記載の半導体集積回路。
【請求項９】
請求項１から８までのいずれか１項に記載の半導体集積回路を備えていることを特徴とする受信装置。
【請求項１０】
請求項１から８までのいずれか１項に記載の半導体集積回路を備えていることを特徴とするＬＮＢコンバータ。
【発明の詳細な説明】
【技術分野】
【０００１】
本発明は、衛星放送アンテナに用いられる半導体集積回路、受信装置、およびＬＮＢコンバータ（Low Noise Block down converter）に関する。
【背景技術】
【０００２】
従来、衛星放送は、地域により水平方向および垂直方向などの偏波信号をもって放送信号を送信している。また、衛星放送を受信するＬＮＢコンバータは、同一のパラボラアンテナに水平方向および垂直方向などの偏波に対応した複数の入力端子をもつことがあり、衛星放送の視聴者は、受信時に水平方向または垂直方向の偏波信号を選択するようになっている。
【０００３】
ＬＮＢコンバータには、仕向け地により同一のパラボラアンテナに複数の視聴者が同時に受信できるマルチ入力・マルチ出力タイプがあり、たとえば非特許文献１に記載されているように、２入力・２出力ＬＮＢコンバータを実現できるＩＣ（Integrated circuit）が発表されている（図８参照）。
【０００４】
図８に示すように、このＬＮＢコンバータは、局部発振信号（以下、「ＬＯ信号」と略称する）を生成する発振器３０５と、ＬＯ信号の周波数を制御するＰＬＬ回路３０６、周波数変換器３０２および３１２、ならびに、増幅器３０３および３１３などを同一基板上に集積している。同図に示す非特許文献１のＬＮＢコンバータでは、１つのＬＯ信号を２つの周波数変換器３０２および３１２に供給し、周波数変換器３０２および３１２の出力信号を増幅器３０３および３１３に出力するスイッチマトリクス回路３０４を実装している。
【０００５】
２入力・２出力ＬＮＢコンバータは、２つのアンテナ３０７および３１７から高周波特性および低雑音性能に優れた電界効果トランジスタ３０８、３０９、３１８、３１９を使用した低雑音増幅器を介して、半導体集積回路３００の入力端子にＲＦ（Radio Frequency）周波数信号（以下、「ＲＦ信号」と略称する）が、入力整合回路を含む増幅器３０１、３１１に入力される。これらの増幅器で増幅された信号はＬＯ信号との混合により、周波数変換器３０２、３１２を通して中間周波数信号〔以下、ＩＦ（Intermediate Frequency）信号と略称する〕として出力される。
【先行技術文献】
【非特許文献】
【０００６】
【非特許文献１】“A Single-Chip Receiver for Multi-User Low-Noise Block Down-Converters” T. Copani et. al. ISSCC Dig. Tech. Papers, pp.438, Feb.2005
【発明の概要】
【発明が解決しようとする課題】
【０００７】
ところで、通常、衛星放送の２入力・２出力ＬＮＢコンバータは、二人のユーザが異なる２種類の放送を受信するシステムである。このため、２つの周波数変換器３０２、３１２が必要となる。また、地域によっては、二人のユーザが１つのＬＯ信号で対応できる地域と、異なる２つのＬＯ信号を使用して同時に受信する必要がある地域とがある。ＬＯ信号が１つの信号で対応できる地域の場合は、図８に示す上記非特許文献１に開示されたＬＮＢコンバータで二人のユーザが衛星放送を同時に受信できる。
【０００８】
しかしながら、この図８に示すＬＮＢコンバータでは異なる２種類のＬＯ信号に対応できないという問題点がある。具体的には、同図に示す第１の出力端子３２１を使用するユーザと、第２の出力端子３２２を使用するユーザが異なる２種類の周波数のＬＯ信号を利用する場合があり得る。同図に示す構成で二人のユーザが異なる２種類のＬＯ信号を設定する場合、２つの半導体集積回路３００を並列に用意する必要があるが、実装面積が大きくなることと消費電力が増えることから好ましくない。
【０００９】
本発明は、上記の問題点に鑑みなされたものであって、その目的は、同一の周波数を有する複数の局部発振信号、または、少なくとも２つの信号が互いに異なる周波数を有する複数の局部発振信号を用いる衛星放送を同時に受信できる半導体集積回路などを提供することにある。
【課題を解決するための手段】
【００１０】
本発明の半導体集積回路は、上記の課題を解決するために、互いに並列する複数のアンテナのそれぞれから受信した同一の周波数を有する複数の受信信号、または、少なくとも２つの信号が互いに異なる周波数を有する複数の受信信号、をそれぞれ増幅した複数の高周波信号、をそれぞれ出力する複数の増幅部と、互いに同一の周波数を有する複数の局部発振信号、または、少なくとも２つの信号が互いに異なる周波数を有する複数の局部発振信号をそれぞれ発信する複数の局部発信器と、上記複数の増幅部のそれぞれから出力される上記複数の高周波信号のいずれかを、上記複数の局部発信器のいずれかから出力される局部発振信号により変換した、複数の中間周波数信号をそれぞれ出力する複数の周波数変換器と、が同一の半導体基板上に形成されていることを特徴とする。
【００１１】
上記の構成によれば、複数の局部発信器、および、複数の周波数変換器と、が、同一の半導体基板上に形成されている。このため、複数のユーザが互いに同一の周波数を有する複数の局部発振信号、または、少なくとも２つの信号が互いに異なる周波数を有する複数の局部発振信号を用いる衛星放送を同時に受信できる。
【００１２】
また、本発明の半導体集積回路は、上記の構成に加えて、上記複数の局部発振器のそれぞれを制御する複数のＰＬＬ回路が上記同一の基板上に形成されており、上記複数のＰＬＬ回路が、互いに単一の基準発振器の発振周波数を参照するように構成されていても良い。
【００１３】
上記の構成によれば、本発明の半導体集積回路に用いる基準発振器の水晶振動子が１つにできるため、実装面積の削減および部品点数の削減が可能となる。
【００１４】
また、本発明の半導体集積回路は、上記の構成に加えて、上記複数のＰＬＬ回路、および、上記複数の局部発振器は、電源回路から電源を供給されており、上記複数のＰＬＬ回路のいずれか少なくとも１つと、上記複数の局部発振器のいずれか少なくとも１つと、が動作している間、上記複数のＰＬＬ回路のうちの残りのＰＬＬ回路のいずれか少なくとも１つと、上記複数の局部発振器のうちの残りの局部発振器のいずれか少なくとも１つと、が上記電源回路からの電源の供給を遮断されることにより未動作状態となるように構成されていても良い。
【００１５】
また、本発明の半導体集積回路は、上記の構成に加えて、上記複数の周波数変換器の出力側に接続される複数の出力増幅回路を備えており、上記電源回路からの電源の供給を遮断されることにより上記複数のＰＬＬ回路のいずれか少なくとも１つ、および、上記複数の局部発振器のいずれか少なくとも１つが未動作状態になったときに、上記複数の周波数変換器のいずれか少なくとも１つ、および、上記複数の出力増幅回路のいずれか少なくとも１つが、上記電源回路からの電源の供給を遮断されることにより未動作状態となるように構成されていても良い。
【００１６】
上記の構成によれば、少なくとも一人のユーザが受信している場合にユーザの数に合わせて必要な数の回路だけを動作させることができるため、半導体集積回路の消費電力を抑えることができる。
【００１７】
また、本発明の半導体集積回路は、上記の構成に加えて、上記複数の増幅部のそれぞれの出力端子に接続された複数の入力端子と、上記複数の周波数変換器のそれぞれの入力端子に接続された複数の出力端子と、を備え、上記複数の入力端子から入力される上記複数の高周波信号のそれぞれを、上記複数の出力端子のいずれかに振り分けるスイッチマトリクス回路を備えていても良い。
【００１８】
上記の構成によれば、複数のユーザが同時に異なる局部発振信号で、かつ異なる複数の受信信号の衛星放送を受信できる。
【００１９】
また、本発明の半導体集積回路は、上記の構成に加えて、上記複数の増幅部のそれぞれが、入力整合回路を有する低雑音増幅器を含んでいても良い。
【００２０】
上記の構成によれば、入力整合回路を有する低雑音増幅器の雑音性能によってスイッチマトリクス回路にて発生する雑音の影響を少なくすることができる。このため、本発明の半導体集積回路の雑音性能の劣化を抑制することができる。
【００２１】
また、本発明の半導体集積回路は、上記の構成に加えて、上記複数の高周波信号のいずれかが、上記スイッチマトリクス回路の上記複数の入力端子のうちの少なくとも１つの入力端子から入力されたときに、上記複数の増幅部のうち、上記スイッチマトリクス回路の残りの入力端子に接続されているいずれか少なくとも１つの増幅部が、電源回路からの電源の供給を遮断されることにより未動作状態となるように構成されていても良い。
【００２２】
上記の構成によれば、一人のユーザのみの視聴、または、複数のユーザによる視聴を、同時に行う場合に、必要な回路だけを動作させることができるため、本発明の半導体集積回路の消費電力を抑制することができる。
【００２３】
また、本発明の半導体集積回路は、上記の構成に加えて、上記複数の増幅部のそれぞれに電源を供給する電源回路が、上記同一の半導体基板上に形成されていても良い。
【００２４】
上記の構成によれば、電界効果トランジスタの電源の供給を制御する電源回路を半導体集積回路に含めることができる。
【００２５】
また、本発明の受信装置は、上記の構成に加えて、上記のいずれかの半導体集積回路を備えていることが好ましい。
【００２６】
上記の構成によれば、受信装置を実装した場合に実装部品を削減することができるため、実装面積とコストの削減に寄与することができる。
【００２７】
また、本発明のＬＮＢコンバータは、上記の構成に加えて、上記のいずれかの半導体集積回路を備えていることが好ましい。
【００２８】
上記の構成によれば、ＬＮＢコンバータを実装した場合に実装部品を削減することができるため、実装面積とコストの削減に寄与することができる。
【発明の効果】
【００２９】
本発明の半導体集積回路は、以上のように、互いに並列する複数のアンテナのそれぞれから受信した同一の周波数を有する複数の受信信号、または、少なくとも２つの信号が互いに異なる周波数を有する複数の受信信号、をそれぞれ増幅した複数の高周波信号、をそれぞれ出力する複数の増幅部と、互いに同一の周波数を有する複数の局部発振信号、または、少なくとも２つの信号が互いに異なる周波数を有する複数の局部発振信号をそれぞれ発信する複数の局部発信器と、上記複数の増幅部のそれぞれから出力される上記複数の高周波信号のいずれかを、上記複数の局部発信器のいずれかから出力される局部発振信号により変換した、複数の中間周波数信号をそれぞれ出力する複数の周波数変換器と、が同一の半導体基板上に形成されている構成である。
【００３０】
それゆえ、同一の周波数を有する複数の局部発振信号、または、少なくとも２つの信号が互いに異なる周波数を有する複数の局部発振信号を用いる衛星放送を同時に受信できるという効果を奏する。
【図面の簡単な説明】
【００３１】
【図１】本発明における半導体集積回路の実施の一形態を示す回路図である。
【図２】本発明における半導体集積回路の他の実施形態を示す回路図である。
【図３】上記半導体集積回路に関し、スイッチマトリクス回路の形態を示す回路図である。
【図４】本発明における半導体集積回路のさらに他の実施形態を示す回路図である。
【図５】本発明における半導体集積回路のさらに他の実施形態を示す回路図である。
【図６】本発明における半導体集積回路のさらに他の実施形態を示す回路図である。
【図７】本発明における受信装置またはＬＮＢコンバータの実施の一形態を示す回路図である。
【図８】従来のＬＮＢコンバータの構成を示す回路図である。
【発明を実施するための形態】
【００３２】
本発明の実施の一形態について図１〜図７に基づいて説明すれば、次の通りである。以下の特定の実施形態で説明する構成以外の構成については、必要に応じて説明を省略する場合があるが、他の実施形態で説明されている場合は、その構成と同じである。また、説明の便宜上、各実施形態に示した部材と同一の機能を有する部材については、同一の符号を付し、適宜その説明を省略する。
【００３３】
なお、以下の説明では、本発明の半導体集積回路、受信装置、およびＬＮＢコンバータを具現化する形態として、２人のユーザがそれぞれ希望するチャンネルを設定できる２入力・２出力の半導体集積回路チップ（半導体集積回路）１００ａ〜１００ｅ、および、半導体パッケージ（受信装置、ＬＮＢコンバータ）２００を例にとって説明するが、本発明を具現化する形態はこれらに限定されない。
【００３４】
すなわち、ｎ人のユーザがそれぞれ希望するチャンネルを設定できるｎ入力・ｎ出力（ｎは自然数）の半導体集積回路、受信装置、およびＬＮＢコンバータも本発明の範疇に含まれる。
【００３５】
〔実施の形態１〕
図１は、本発明の半導体集積回路の実施の一形態である半導体集積回路チップ１００ａの構成を示す回路図である。
【００３６】
同図に示すように、半導体集積回路チップ１００ａは、増幅器（増幅部、低雑音増幅器）１０１、１１１、周波数変換器１０２、１１２、出力バッファ回路（出力増幅回路）１０３、１１３、スイッチマトリクス回路１０４、局部発振器１０５、１１５、ＰＬＬ回路１０６、１１６、アンテナ１０７、１１７、電界効果トランジスタ（増幅部、低雑音増幅器）１０８、１０９、１１８、１１９、基準周波数発振器１２０、出力端子１２１、１２２を備えている。
【００３７】
また、これらの構成のうち、増幅器１０１、１１１、周波数変換器１０２、１１２、出力バッファ回路１０３、１１３、スイッチマトリクス回路１０４、局部発振器１０５、１１５、ＰＬＬ回路１０６、１１６、基準周波数発振器１２０、出力端子１２１、１２２は、同図に示す矩形形状の平板上の半導体回路基板上（同一の基板上）に形成されている。一方、アンテナ１０７、１１７は、並列して存在しており、アンテナ１０７、電界効果トランジスタ（増幅部、低雑音増幅器）１０８、１０９は、この順で、直列接続され、電界効果トランジスタ１０９の出力端子を介してスイッチマトリクス回路１０４の後述する入力端子５１に電気的に接続されている。一方、アンテナ１１７、電界効果トランジスタ（増幅部、低雑音増幅器）１１８、１１９は、この順で、直列接続され、電界効果トランジスタ１１９の出力端子を介してスイッチマトリクス回路１０４の後述する入力端子６１に電気的に接続されている。
【００３８】
（アンテナ１０７、１１７）
アンテナ１０７、１１７は、互いに同一の周波数を有する複数の衛星放送のＲＦ（Radio Frequency）信号（受信信号）、または、少なくとも２つの信号が互いに異なる周波数を有する複数の衛星放送のＲＦ信号（受信信号）を受信するアンテナである。
【００３９】
（電界効果トランジスタ１０８、１０９、１１８、１１９）
電界効果トランジスタ１０８、１０９、１１８、１１９は、高周波特性および低雑音性能に優れた電界効果トランジスタからなり、これらは、低雑音増幅器（増幅部の一部）を構成している。
【００４０】
（増幅器１０１、１１１）
増幅器１０１、１１１は、入力整合回路を含む低雑音増幅器であり、電界効果トランジスタ１０８、１０９、１１８、１１９を介して入力されるＲＦ信号を増幅し、互いに同一の周波数を有する複数の高周波信号、または、少なくとも２つの信号が互いに異なる周波数を有する複数の高周波信号を出力する。
【００４１】
上記の構成によれば、入力整合回路を有する増幅器１０１、１１１の雑音性能によってスイッチマトリクス回路１０４にて発生する雑音の影響を少なくすることができる。このため、本実施形態の半導体集積回路チップ１００ａの雑音性能の劣化を抑制することができる。
【００４２】
（周波数変換器１０２、１１２）
周波数変換器１０２、１１２は、増幅器１０１、１１１のそれぞれから出力される上記複数の高周波信号のいずれかを、後述する局部発信器１０５、１１５のいずれかから出力される局部発振信号（ＬＯ信号）により変換（高周波信号とＬＯ信号とを混合することにより変換）した、複数の中間周波数信号をそれぞれ出力する。
【００４３】
（スイッチマトリクス回路１０４）
スイッチマトリクス回路１０４の具体的な構成を図３に示す。同図に示すように、スイッチマトリクス回路１０４は、増幅器１０１、１１１のそれぞれの出力端子に接続された入力端子５１、６１と、周波数変換器１０２、１１２のそれぞれの入力端子に接続された出力端子５６、６６と、を備える。
【００４４】
図１に示す増幅器１０１、１１１で増幅された信号はスイッチマトリクス回路１０４を通して周波数変換器１０２、１１２に出力される。スイッチマトリクス回路１０４は、増幅器１０１、１１１で増幅された信号を、周波数変換器１０２、１１２に所望の信号を受け渡す。
【００４５】
より具体的には、スイッチマトリクス回路１０４は、図３に示すように入力端子５１、６１から入力される上記複数の高周波信号のそれぞれを、出力端子５６、６６のいずれかに振り分ける回路である。すなわち、スイッチマトリクス回路１０４は、増幅器１０１、１１１の出力端子に接続された入力端子５１、５６からの信号入力をスイッチ回路５２〜５５を介して、任意の信号出力としてスイッチマトリクス回路１０４の出力端子５６、６６に出力する。
【００４６】
上記の構成によれば、複数のユーザが同時に異なる局部発振信号で、かつ異なる複数の受信信号の衛星放送を受信できる。例えば、本実施形態の半導体集積回路チップ１００ａを備えた２入力・２出力ＬＮＢコンバータでは、出力端子１２１が水平方向の偏波信号を受信しかつＬＯ信号が９．７５ＧＨｚを使用して受信している場合、出力端子１２２では、ＬＯ信号が１０．６ＧＨｚを使用しながら水平方向の偏波信号を受信することができるようになる。また、他の例によれば、出力端子１２１が水平方向の偏波信号を受信しかつＬＯ信号が９．７５ＧＨｚを使用して受信している場合、出力端子１２２では、ＬＯ信号が９．７５ＧＨｚを使用しながら垂直方向の偏波信号を受信することができる。
【００４７】
（出力バッファ回路１０３、１１３）
出力バッファ回路１０３、１１３は、周波数変換器１０２、１１２のそれぞれから出力される上記複数の高周波信号のそれぞれを増幅して出力する回路である。周波数変換器１０２、１１２から周波数変換された信号は、出力バッファ回路１０３、１１３を介して出力端子１２１、１２２に出力される。
【００４８】
（局部発振器１０５、１１５、ＰＬＬ回路１０６、１１６、基準周波数発振器１２０）
局部発振器１０５、１１５から発信される互いに異なるまたは同一の局部発振信号の周波数は、ＰＬＬ回路１０６、１１６にて調整される。なお、本実施形態では、単一の基準周波数発振器１２０からＰＬＬ回路１０６、１１６の基準発振周波数を供給している。上記の構成によれば、半導体集積回路チップ１００ａに用いる基準周波数発振器の水晶振動子が１つにできるため、実装面積の削減および部品点数の削減が可能となる。
【００４９】
（半導体集積回路チップ１００ａの効果）
以上によれば、半導体集積回路チップ１００ａでは、少なくとも局部発振器１０５、１１５、および、周波数変換器１０２、１１２と、が、同一の半導体基板上に形成されている。このため、複数のユーザが互いに同一の周波数を有する複数の局部発振信号、または、少なくとも２つの信号が互いに異なる周波数を有する複数の局部発振信号を用いる衛星放送を同時に受信できる。
【００５０】
（半導体集積回路チップ１００ａの変形例その１）
図２に示す半導体集積回路チップ１００ｂは、上記の半導体集積回路チップ１００ａの変形例その１である。
【００５１】
同図に示す半導体集積回路チップ１００ｂでは、２入力・２出力の２つの出力端子１２１、１２２のうち、出力端子１２１のみを動作させ、出力端子１２２は未動作状態にしている。
【００５２】
具体的には、半導体集積回路チップ１００ｂでは、周波数変換器１１２、局部発振器１１５、ＰＬＬ回路１１６、出力バッファ回路１１３は、図示しない電源回路〔後述するバイアス電源回路２３１、２４１（電源回路）参照〕からのバイアス電源を遮断することにより未動作状態にしている。
【００５３】
逆に、出力端子１２２のみ動作させ、出力端子１２１を未動作状態とするときも同様であり、周波数変換器１０２、局部発振器１０５、ＰＬＬ回路１０６、出力バッファ回路１０３は、図示しない電源回路からのバイアス電源を遮断することにより未動作状態にする。これにより必要な回路のみ動作するので、消費電力の削減に寄与できる。
【００５４】
（半導体集積回路チップ１００ａの変形例その２）
図４に示す半導体集積回路チップ１００ｃは、上記の半導体集積回路チップ１００ａの変形例その２である。
【００５５】
同図に示す半導体集積回路チップ１００ｃでは、２入力・２出力の２つの出力端子１２１、１２２が、ともにアンテナ１０７からの入力信号を使用している。
【００５６】
この場合、図示しない電源回路からのバイアス電源を遮断することにより電界効果トランジスタ１１８、１１９を未動作状態にすれば良い。これにより必要な回路のみ動作するので、消費電力の削減に寄与できる。
【００５７】
〔実施の形態２〕
図５は、本発明の半導体集積回路の他の実施形態である半導体集積回路チップ１００ｄの構成を示す回路図である。
【００５８】
図５に示す半導体集積回路チップ１００ｄは、スイッチマトリクス回路１０４、増幅器１０１、１１１のそれぞれの半導体基板上における配置が、上述した半導体集積回路チップ１００ａ〜１００ｃと異なっている。しかしながら、その他の構成については、上述した半導体集積回路チップ１００ａ〜１００ｃと同様であるのでここでは、その説明を省略する。
【００５９】
半導体集積回路チップ１００ｄでは、電界効果トランジスタ１０８、１０９、１１８、１１９を介して、半導体集積回路チップ１００ｄの２つの入力端子に、互いに同一または異なる周波数の２つのＲＦ信号が、スイッチマトリクス回路１０４に入力された後に、増幅器１０１、１１１に入力される。入力整合はスイッチマトリクス回路１０４にて行う。
【００６０】
上記の構成によれば、複数のユーザが同時に異なる局部発振信号で、かつ異なる複数の受信信号の衛星放送を受信できる。例えば、本実施形態の半導体集積回路チップ１００ｄを備えた２入力・２出力ＬＮＢコンバータでは、出力端子１２１が水平方向の偏波信号を受信しかつＬＯ信号が９．７５ＧＨｚを使用して受信している場合、出力端子１２２では、ＬＯ信号が１０．６ＧＨｚを使用しながら水平方向の偏波信号を受信することができるようになる。また、他の例によれば、出力端子１２１が水平方向の偏波信号を受信しかつＬＯ信号が９．７５ＧＨｚを使用して受信している場合、出力端子１２２では、ＬＯ信号が９．７５ＧＨｚを使用しながら垂直方向の偏波信号を受信することができる。
【００６１】
（半導体集積回路チップ１００ｄの変形例）
図６に示す半導体集積回路チップ１００ｅは、上記の半導体集積回路チップ１００ｄの変形例である。
【００６２】
同図に示す半導体集積回路チップ１００ｅでは、２入力・２出力の２つの出力端子１２１、１２２が、ともにアンテナ１０７からの入力信号を使用している。この場合、図示しない電源回路からのバイアス電源を遮断することにより電界効果トランジスタ１１８、１１９を未動作状態にすれば良い。これにより必要な回路のみ動作するので、消費電力の削減に寄与できる。
【００６３】
〔実施の形態３〕
図７は、本発明の受信装置またはＬＮＢコンバータの実施の一形態である半導体パッケージ２００の構成を示す回路図である。
【００６４】
同図に示すように、半導体パッケージ２００は、増幅器（増幅部）２０１、２１１、周波数変換器２０２、２１２、出力バッファ回路（出力増幅回路）２０３、２１３、スイッチマトリクス回路２０４、局部発振器２０５、２１５、ＰＬＬ回路２０６、２１６、アンテナ２０７、２１７、電界効果トランジスタ（増幅部）２０８、２０９、２１８、２１９、基準周波数発振器２２０、出力端子２２１、２２２、バイアス電源回路２３１、２４１、バイアス電圧の出力端子２３３〜２３６、および２４３〜２４６、高周波信号が入力される高周波信号ＲＦＩＮ１端子２３２、高周波信号ＲＦＩＮ２端子２４２を備えている。
【００６５】
半導体パッケージ２００では、バイアス電源回路２３１および／または２４１から出力されるバイアス電圧の出力端子２３３〜２３６および２４３〜２４６が、高周波信号が入力される高周波信号ＲＦＩＮ１端子２３２および高周波信号ＲＦＩＮ２端子２４２を挟んだ外側に配置される。
【００６６】
なお、半導体パッケージ２００における、増幅器２０１、２１１、周波数変換器２０２、２１２、出力バッファ回路２０３、２１３、スイッチマトリクス回路２０４、局部発振器２０５、２１５、ＰＬＬ回路２０６、２１６、アンテナ２０７、２１７、電界効果トランジスタ２０８、２０９、２１８、２１９、基準周波数発振器２２０、出力端子２２１、２２２は、それぞれ上述した半導体集積回路チップ１００ａ〜１００ｃとほぼ同様の構成であるので、これらの構成については、その説明は省略する。また、半導体パッケージ２００は、上述した半導体集積回路チップ１００ａ〜１００ｃに相当する構成に替えて、上述した半導体集積回路チップ１００ｄまたは１００ｅに相当する構成を備えていても良い。
【００６７】
（バイアス電源回路２３１、２４１）
バイアス電源回路２３１、２４１は、２つのアンテナ２０７および２１７から高周波特性および低雑音性能に優れた電界効果トランジスタ２０８、２０９、２１８、２１９にそれぞれバイアス電源を供給するものである。
【００６８】
この構成では、図４または図６に示したように、電界効果トランジスタの制御が容易になるため、たとえば２入力・２出力ＬＮＢコンバータの２つの出力端子２２１、２２２が、ともにアンテナ２０７からの入力信号を使用するようにできる。例えば、この場合、バイアス電源回路２３１、２４１からのバイアス電源を遮断することにより電界効果トランジスタ２１８、２１９を未動作状態にすれば良い。これにより必要な回路のみ動作するので、消費電力の削減に寄与できる。また、電界効果トランジスタの電源供給を制御する回路を半導体集積回路に含めているので、ＬＮＢコンバータを実装した場合に実装部品を削減することができ、実装面積とコストの削減に寄与することができる。
【００６９】
〔本発明の別の表現〕
また、本発明は以下のように表現することもできる。
【００７０】
すなわち、本発明の半導体集積回路は、２つの異なるアンテナから入感する信号を増幅する２並列以上の電界効果トランジスタを経由して、同一半導体基板上に２つの異なる高周波信号が入力し、上記半導体基板上に形成される局部発信器から出力される局部発振信号により周波数変換されて、中間周波数信号が出力される半導体集積回路において、
同一半導体基板上に、半導体集積回路周波数変換を行う周波数変換器および上記局部発振器を２つずつ形成されていても良い。
【００７１】
また、本発明の半導体集積回路は、２つの異なる上記局部発振器が同一またはそれぞれ異なる周波数の信号を発信しても良い。
【００７２】
また、本発明の半導体集積回路は、２つの異なる上記第１、第２の局部発振器を制御する第１、第２のＰＬＬ回路をそれぞれ２つ形成し、その２つの上記ＰＬＬ回路は１つの基準発振器の発振周波数を参照しても良い。
【００７３】
また、本発明の半導体集積回路は、上記第１、第２のＰＬＬ回路と上記第１、第２の局部発振器は、基準発振器と異なる電源回路から電源を供給されており、上記第１のＰＬＬ回路と第１の局部発振器が動作している間に、上記第２のＰＬＬ回路と第２の局部発振器には電源供給を止めることにより未動作になる状態があり得ても良い。
【００７４】
また、本発明の半導体集積回路は、上記第１、第２のＰＬＬ回路、上記第１、第２の局部発振器、第１、第２の周波数変換器、第１、第２の出力増幅回路を含み、第１のＰＬＬ回路、上記第１の局部発振器の電源供給が止められ未動作状態になったときに、上記第１の周波数変換器と上記第１の出力増幅回路の電源も供給が止められ未動作状態になっても良い。
【００７５】
また、本発明の半導体集積回路は、２つの異なるアンテナから入感する信号を増幅する２並列の電界効果トランジスタを経由して、同一半導体基板上に２つの異なる高周波信号が入力し、上記半導体基板上に形成される局部発信器から出力される局部発振信号により周波数変換されて、中間周波数信号が出力される半導体集積回路において、同一半導体基板上に、周波数変換を行う第１、第２の周波数変換器の入力端子へ、上記半導体基板上に入力される２つの入力端子から、それぞれの信号を振り分けるスイッチマトリクス回路を有していても良い。
【００７６】
また、本発明の半導体集積回路は、上記スイッチマトリクス回路の前段に、入力整合回路を有する第１、第２の低雑音増幅器を有していても良い。
【００７７】
また、本発明の半導体集積回路は、上記第１、第２の周波数変換器のいずれかに供給する信号が、半導体集積回路の２つの入力のうち、いずれも一方の入力端子であるとき、他方の入力端子に信号を供給する複数の上記電界効果トランジスタおよび半導体集積回路に形成されている低雑音増幅器の電源は供給されずに未動作となっても良い。
【００７８】
また、本発明の半導体集積回路は、複数の上記電界効果トランジスタに電源を供給する電源回路は、上記半導体集積回路上に形成し、複数の上記電界効果トランジスタに電源を供給しても良い。
【００７９】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００８０】
本発明は、衛星放送アンテナに用いられる半導体集積回路、受信装置、およびＬＮＢコンバータ等に適用できる。
【符号の説明】
【００８１】
５１、６１  入力端子
５２〜５５  スイッチ回路
５６、６６  出力端子
１００ａ〜１００ｅ  半導体集積回路チップ（半導体集積回路）
１０１、１１１  増幅器（増幅部、低雑音増幅器）
１０２、１１２  周波数変換器
１０３、１１３出力バッファ回路（出力増幅回路）
１０４  スイッチマトリクス回路
１０５、１１５  局部発振器
１０６、１１６  ＰＬＬ回路
１０７、１１７  アンテナ
１０８、１０９、１１８、１１９  電界効果トランジスタ（増幅部、低雑音増幅器）
１２０  基準周波数発振器
１２１、１２２  出力端子
２００  半導体パッケージ（受信装置、ＬＮＢコンバータ）
２０１、２１１  増幅器（増幅部、低雑音増幅器）
２０２、２１２  周波数変換器
２０３、２１３出力バッファ回路（出力増幅回路）
２０４  スイッチマトリクス回路
２０５、２１５  局部発振器
２０６、２１６  ＰＬＬ回路
２０７、２１７  アンテナ
２０８、２０９、２１８、２１９  電界効果トランジスタ（増幅部、低雑音増幅器）
２２０  基準周波数発振器
２２１、２２２  出力端子
２３１、２４１  バイアス電源回路（電源回路）
２３２  高周波信号ＲＦＩＮ１端子
２３３〜２３６  出力端子
２４２  高周波信号ＲＦＩＮ２端子
２４３〜２４６  出力端子
【図１】
2013258658.tif 000003
【図２】
2013258658.tif 000004
【図３】
2013258658.tif 000005
【図４】
2013258658.tif 000006
【図５】
2013258658.tif 000007
【図６】
2013258658.tif 000008
【図７】
2013258658.tif 000009
【図８】
2013258658.tif 000010